(57)【要約】      （修正有）【課題】より軽量で、分解することでよりコンパクトにできるバーベキューコンロを提供する。【解決手段】上方が開放し、燃料を入れて燃焼させる燃焼箱体１０と、調理用の金網２０と、金網２０を支持する一対の脚体３０と、燃焼箱体１０を金網２０に吊下げる一対の吊下げ部材４０と、を備え、脚体３０は、上端部に金網２０に係止する係止部３１を有し、係止部３１は、金網２０の開口部分から上方に突出して金網２０に下向きに掛ける掛け止め部３２と、掛け止め部３２から金網２０の上面と平行な方向に延びて金網２０を下方から支持する支持部３３と、を有している。【選択図】図１
0003218702.tif 000002
【実用新案登録請求の範囲】
【請求項１】
上方が開放し、燃料を入れて燃焼させる燃焼箱体と、
調理用の金網と、
前記金網を支持する一対の脚体と、
前記燃焼箱体を前記金網に吊下げる一対の吊下げ部材と、を備え、
前記脚体は、上端部に前記金網に係止する係止部を有し、
前記係止部は、前記金網の開口部分から上方に突出して該金網に下向きに掛ける掛け止め部と、前記掛け止め部から前記金網の上面と平行な方向に延びて該金網を下方から支持する支持部と、を有している、
ことを特徴とするバーベキューコンロ。
【請求項２】
前記掛け止め部は、前記支持部と直交する方向に折り曲げられて該支持部で支持する前記金網の線材と直交する方向に延びる部材に掛けるように構成されている、
請求項１に記載のバーベキューコンロ。
【請求項３】
前記燃焼箱体は、前記吊下げ部材を係合させる係合部を有し、
前記吊下げ部材は、棒材を折り曲げた所定高さのＵ字状に形成され、両端部に前記金網の網目の開口よりも小さい長さで棒材の端部を外向きに折り曲げることで形成された係合爪を有しており、
前記燃焼箱体は、前記吊下げ部材の前記係合爪を前記金網又は該燃焼箱体の係合部に係合させることで前記金網に吊下げられている、
請求項１又は２に記載のバーベキューコンロ。
【請求項４】
前記燃焼箱体の係合部は、棒材の前記係合爪の一方を挿入する孔部と、棒材の前記係合爪の他方を挿入する長孔と、を有しており、
前記長孔は、前記係合爪の長さよりも大きい長さで形成されている、
請求項３に記載のバーベキューコンロ。
【請求項５】
前記吊下げ部材は、Ｕ字状に形成されている中央部分に、棒材の延びる方向と直交する方向に突出する中間支持部を有し、
前記中間支持部は、前記金網の周囲のフレーム材に掛けることができる長さで突出している、
請求項３又は４に記載のバーベキューコンロ。
【考案の詳細な説明】
【技術分野】
【０００１】
本考案は、キャンプ場などの野外で用いられるバーベキューコンロに関する。
【背景技術】
【０００２】
従来、キャンプ場などの野外においてバーベキューなどの調理を行う場合にバーベキューコンロが用いられている。バーベキューコンロには、より簡易に使用できるように小型化、軽量化などが図られたものがある。例えば、本出願人が先に出願したバーベキューコンロがある（例えば、特許文献１参照）。このバーベキューコンロでは、上方に網体を載置する外板を有するコンロ本体部分を一対の脚部の頂部に設け、一対の脚部の間を連結するガイドレール部材に燃焼箱体（炭受け）が支持されるようにしている。
【０００３】
また、他の先行技術として、棒材で形成されたテーブル部に棒材で形成された一対の脚部を取り付け、テーブル部の周囲枠に火格子や鉄板を置いて調理するものもある（例えば、特許文献２参照）。
【先行技術文献】
【特許文献】
【０００４】
【特許文献１】実用新案登録第３１７３９７５号公報
【特許文献２】特開平７−２２２６８０号公報
【考案の概要】
【考案が解決しようとする課題】
【０００５】
しかし、上記特許文献１は、網体を載置する外板を脚部の頂部に設ける構成であるため、これらが比較的大きな構成となる。しかも、ガイドレール部材が対峙するように外板の内方に配設されているため、各部品をコンパクトに分解することは難しい。
【０００６】
また、上記特許文献２は、燃料を燃焼させる燃焼箱体（炭受け）が含まれておらず、適した高さの燃焼箱体を準備する必要がある。そのため、全ての部品を含めて軽量・コンパクト化することは難しい。テーブル部も、脚部を折り曲げた状態にできるが、各部品をコンパクトに分解することはできない。
【０００７】
そこで、本考案は、より軽量で、よりコンパクトに分解できるバーベキューコンロを提供することを目的とする。
【課題を解決するための手段】
【０００８】
上記目的を達成するために、本考案に係るバーベキューコンロは、上方が開放し、燃料を入れて燃焼させる燃焼箱体と、調理用の金網と、前記金網を支持する一対の脚体と、前記燃焼箱体を前記金網に吊下げる一対の吊下げ部材と、を備え、前記脚体は、上端部に前記金網に係止する係止部を有し、前記係止部は、前記金網の開口部分から上方に突出して該金網に下向きに掛ける掛け止め部と、前記掛け止め部から前記金網の上面と平行な方向に延びて該金網を下方から支持する支持部と、を有している。
【０００９】
この構成により、脚体の係止部に設けられた掛け止め部を金網の開口部分から上方に突出させて金網に下向きに引っ掛けて、支持部で金網を下方から支持することで、金網を一対の脚体で支持した状態にすることが容易にできる。燃焼箱体は、一対の吊下げ部材によって金網に吊下げることができる。しかも、吊下げ部材を外すことで、燃焼箱体を分解することが容易にでき、脚体の掛け止め部を金網から外すことで脚体と金網を分解することが容易にできる。
【００１０】
また、前記掛け止め部は、前記支持部と直交する方向に折り曲げて該支持部で支持する前記金網の線材が延びる方向と直交する方向に延びる部材に掛けるように構成されていてもよい。
【００１１】
このように構成すれば、脚体で支持する金網の部分に対し、直交する方向に延びる部材に掛け止め部を引っ掛けて支持するため、支持状態をより安定させることができる。しかも、掛け止め部を金網の周囲のフレーム材に引っ掛けることで、支持状態をより安定して保つことができる。
【００１２】
また、前記燃焼箱体は、前記吊下げ部材を係合させる係合部を有し、前記吊下げ部材は、棒材を折り曲げた所定高さのＵ字状に形成され、両端部に前記金網の網目の開口よりも小さい長さで棒材の端部を外向きに折り曲げることで形成された係合爪を有しており、前記燃焼箱体は、前記吊下げ部材の前記係合爪を前記金網又は該燃焼箱体の係合部に係合させることで前記金網に吊下げられていてもよい。
【００１３】
このように構成すれば、吊下げ部材の係合爪を金網又は燃焼箱体に係合させることで燃焼箱体を金網に吊下げて支持することが容易にでき、燃焼箱体を金網の下方で支持する構造を簡略化できる。
【００１４】
また、前記燃焼箱体の係合部は、棒材の前記係合爪の一方を挿入する孔部と、棒材の前記係合爪の他方を挿入する長孔と、を有しており、前記長孔は、前記係合爪の長さよりも大きい長さで形成されていてもよい。
【００１５】
このように構成すれば、吊下げ部材の係合爪の一方を燃焼箱体の孔部に挿入した後、係合爪の他方を長孔に挿入して係合させることが容易にでき、吊下げ部材と燃焼箱体との組立／分解を容易に行うことができる。
【００１６】
また、前記吊下げ部材は、Ｕ字状に形成されている中央部分に、棒材の延びる方向と直交する方向に突出する中間支持部を有し、前記中間支持部は、前記金網の周囲のフレーム材に掛けることができる長さで突出していてもよい。
【００１７】
このように構成すれば、吊下げ部材の中間支持部を金網のフレーム材に掛けて、吊下げ部材で吊下げる燃焼箱体をより安定した状態で保つことができる。
【考案の効果】
【００１８】
本考案によれば、網体を一対の脚体で適切に支持することができ、その網体に燃焼箱体を吊下げ部材で吊下げて支持することが容易にできる。使用後は燃焼箱体と吊下げ部材とを分解し、一対の脚体と網体とを分解することができるので、バーベキューコンロをより軽量で、よりコンパクトに分解することが可能となる。
【図面の簡単な説明】
【００１９】
【図１】図１は、本考案の一実施形態に係るバーベキューコンロを示す斜視図である。
【図２】図２は、図１に示すバーベキューコンロの脚体を金網に係止部分の図面であり、（Ａ）は図１に示す第１例を示す拡大斜視図、（Ｂ）は他の第２例を示す拡大斜視図である。
【図３】図３は、図１に示すバーベキューコンロの燃焼箱体を吊下げ部材で金網に吊下げている部分を示す図面であり、（Ａ）は図１に示す第１例を示す拡大斜視図、（Ｂ）は他の第２例を示す拡大斜視図である。
【図４】図４は、図３（Ａ）に示す吊下げ部材の変形例を示す吊下げ状態の拡大斜視図である。
【図５】図５は、図１に示すバーベキューコンロを分解した状態を示す斜視図である。
【考案を実施するための形態】
【００２０】
以下、本考案の実施形態を図面に基づいて説明する。この明細書及び実用新案登録請求の範囲の書類中における前後左右方向の概念は、図１に示す前後左右方向の概念と一致するものとする。
【００２１】
（バーベキューコンロの全体構成）
図１は、一実施形態に係るバーベキューコンロ１を示す斜視図である。この実施形態のバーベキューコンロ１は、上方が開放した箱状の燃焼箱体１０（炭受け）と、調理用の金網２０と、金網２０を支持する一対の脚体３０と、金網２０に燃焼箱体１０を吊下げる一対の吊下げ部材４０とを備えている。この実施形態の金網２０は、長方形状に形成され、周囲のフレーム材２１の間に所定の開口の網目２３が形成されるように線材２２が格子状に組まれている。
【００２２】
燃焼箱体１０は、薄い金属板によって上方が開放した所定深さの箱状となっており、周囲は壁面で囲われている。燃焼箱体１０は、内部に木炭などの燃料を入れて燃焼させるようになっている。燃焼箱体１０の下面には複数の凸部１１が設けられ、凹凸状に形成されている。凹部の左右方向の端部には、空気取り入れ孔１２が設けられている。燃焼箱体１０は、上端部の周囲に、外向きに突出するようにフランジ部１３が設けられている。フランジ部１３の左右位置には、それぞれ吊下げ部材４０を係合させる係合部１４が設けられている。
【００２３】
上記脚体３０は、金属の棒材を折り曲げて形成された一対の部材となっている。それぞれの脚体３０には、上端部に上記金網２０に係止される係止部３１が設けられている。係止部３１は、金網２０の開口部分から上方に突出して該金網２０に下向きに掛ける掛け止め部３２と、掛け止め部３２から金網２０の上面と平行な方向に延びて金網２０を下方から支持する支持部３３を有している。一対の脚体３０によれば、係止部３１に設けられた掛け止め部３２を金網２０の網目２３の開口部分から上方に突出させて線材２２に下向きに引っ掛け、支持部３３で金網２０を下方から支持する。これにより、一対の脚体３０を金網２０に係止した状態で、一対の脚体３０で金網２０を支持することができる。
【００２４】
上記吊下げ部材４０は、金属の棒材を折り曲げた所定高さの略Ｕ字状に形成された一対の部材となっている。吊下げ部材４０の所定高さは、金網２０と燃焼箱体１０との距離に応じて設定される。それぞれの吊下げ部材４０には、端部を外向きに折り曲げた係合爪４１が形成されている。吊下げ部材４０は、略Ｕ字状の中間部分は金網２０の複数の網目２３を跨ぐ間隔で折り曲げられている。両端部の係合爪４１は、金網２０の１つの網目２３の開口よりも小さい長さで折り曲げられている。吊下げ部材４０は、略Ｕ字状の状態から内向きに弾性変形可能となっている。
【００２５】
また、上記燃焼箱体１０のフランジ部１３の左右位置にそれぞれ設けられた係合部１４は、吊下げ部材４０の係合爪４１の一方を挿入する孔部１５と、他方の係合爪４１を挿入する長孔１６とを有している。長孔１６の長手方向寸法は、係合爪４１の長さよりも大きい長さとなっている。なお、長孔１６は、長手方向端部が円弧状、長手方向端部が矩形状の長孔１６を含む。この吊下げ部材４０によれば、一方の係合爪４１を孔部１５に挿入した状態で、他方の係合爪４１を孔部１５の方向（内向き）に付勢して弾性変形させた状態で長孔１６に挿入できる。そして、付勢力を抜くことで他方の係合爪４１が長孔１６の外側端部に当接して、吊下げ部材４０の係合爪４１を燃焼箱体１０の係合部１４に取り付けることができる。吊下げ部材４０は、燃焼箱体１０に取り付けられた状態では自己の弾性によって取付状態を保つことができる。吊下げ部材４０を燃焼箱体１０から外す場合、長孔１６に挿入している係合爪４１の部分を孔部１５の方向に付勢すれば、係合爪４１を長孔１６から抜くことができる。長孔１６から係合爪４１を抜いた吊下げ部材４０は、もう一方の係合爪４１を孔部１５から容易に抜くことができる。これにより、燃焼箱体１０から吊下げ部材４０を容易に分解することができる。
【００２６】
このような構成のバーベキューコンロ１によれば、一対の脚体３０の係止部３１に設けられた掛け止め部３２を金網２０の開口部分から上方に突出させて金網２０に下向きに引っ掛けて、支持部３３で金網２０を下方から支持する。これにより、金網２０を一対の脚体３０で支持できる。そして、金網２０の上方から吊下げ部材４０の係合爪４１を挿入し、係合爪４１を燃焼箱体１０の係合部１４を係合させれば、燃焼箱体１０を金網２０に吊下げることができる。このようにして、バーベキューコンロ１を使用状態に組み立てることが容易にできる。
【００２７】
また、上記とは逆手順により、吊下げ部材４０と燃焼箱体１０との分解、及び金網２０と脚体３０との分解を容易に行うことができる。しかも、バーベキューコンロ１は、分解した状態で金網２０、脚体３０、燃焼箱体１０、吊下げ部材４０をばらばらの状態にできるので、バーベキューコンロ１をコンパクトな状態で持ち運ぶことが可能となる。
【００２８】
（係合部の形成例）
図２は、図１に示すバーベキューコンロ１の脚体３０を金網２０に係止する部分の図面であり、（Ａ）は図１に示す第１例を示す拡大斜視図、（Ｂ）は他の第２例を示す拡大斜視図である。図２（Ａ）に示す第１例は上記図１に示す例であり、脚体３０の上端部には、金網２０の開口部分から上方に突出して金網２０に下向きに掛ける掛け止め部３２と、この掛け止め部３２から金網２０の上面と平行な方向に延びて金網２０を下方から支持する支持部３３とが設けられている。この例では、掛け止め部３２を、金網２０の端部から２本目の線材２２に掛けるようにし、掛け止め部３２から金網２０の上面と平行な方向に延びる支持部３３を、金網２０の周囲を形成するフレーム材２１を支持する位置まで延ばしている。これにより、掛け止め部３２を線材２２掛けた状態で、脚体３０によって金網２０の周囲における強度が高いフレーム材２１を適切に支持している。
【００２９】
図２（Ｂ）に示す第２例は、掛け止め部３２が、支持部３３と直交する方向に折り曲げられている。掛け止め部３２を折り曲げる方向は、図に実線で示すように外側のフレーム材２１に掛ける方向に折り曲げても、二点鎖線で示すように内側の線材２２に掛ける方向に折り曲げてもよい。例えば、実線で示すように、外側のフレーム材２１に掛ける方向に折り曲げることで、強度の高いフレーム材２１に掛け止め部３２を掛けて支持部３３でフレーム材２１を支持することになり、金網２０を支持した状態をより安定して保つことができる。
【００３０】
（吊下げ部材の使用例）
図３は、図１に示すバーベキューコンロ１の燃焼箱体１０を吊下げ部材４０で金網２０に吊下げている部分を示す図面であり、（Ａ）は図１に示す第１例を示す拡大斜視図、（Ｂ）は他の第２例を示す拡大斜視図である。図３（Ａ）は、上記図１に示す例であり、Ｕ字状に折り曲げられた吊下げ部材４０の両端部を金網２０の上方から下方に向けて挿入し、吊下げ部材４０の中央部分を金網２０に支持した状態で、両端部に形成された係合爪４１によって燃焼箱体１０を吊下げている。
【００３１】
図３（Ｂ）に示す第２例は、吊下げ部材４０の両端部に形成された係合爪４１を燃焼箱体１０の孔部１５及び長孔１６に下方から挿入し、係合爪４１を金網２０に係合させて燃焼箱体１０を支持する例である。この例では、吊下げ部材４０の中央部分で燃焼箱体１０を支持した状態で、両端部に形成された係合爪４１を金網２０の網目２３の部分で下方から上方に向けて挿入し、係合爪４１を金網２０の線材２２に係合させて燃焼箱体１０を吊下げている。
【００３２】
いずれの例も、上記脚体３０の係止部３１における掛け止め部３２を金網２０に掛けている部分の間において金網２０に燃焼箱体１０を吊下げるようにしている。これにより、燃焼箱体１０の吊下げ位置が、脚体３０の支持部３３による金網２０の支持位置付近となり、燃焼箱体１０を安定して支持することができる。
【００３３】
（吊下げ部材の変形例）
図４は、図３（Ａ）に示す吊下げ部材４０の変形例を示す吊下げ状態の拡大斜視図である。この例の吊下げ部材４０は、棒材を折り曲げた略Ｕ字状の中央部分が外向きに折り曲げられ、この折り曲げた部分で棒材の延びる方向と直交する方向に突出する中間支持部４２が形成されている。中間支持部４２は、金網２０のフレーム材２１に掛けることができる長さで突出している。中間支持部４２は、別部材を溶接等で固定するようにしてもよい。中間支持部４２を設けることで、吊下げ部材４０を金網２０の周囲における強度が高いフレーム材２１で支持するようにできる。このようにすれば、吊下げ部材４０で吊下げる燃焼箱体１０の吊下げ状態を、より安定して保つことができる。
【００３４】
（バーベキューコンロの分解状態）
図５は、図１に示すバーベキューコンロ１を分解した状態を示す斜視図である。上記バーベキューコンロ１によれば、脚体３０の掛け止め部３２を金網２０から外すことで、脚体３０と金網２０とを分解することが容易にできる。また、吊下げ部材４０を金網２０から外し、燃焼箱体１０から外すことで、これらを容易に分解することができる。
【００３５】
このように、バーベキューコンロ１によれば、図５に示すように脚体３０と金網２０と燃焼箱体１０と吊下げ部材４０とを簡単に分解して分離することができ、しかも分解することで小サイズ化して持ち運ぶことが可能となる。
【００３６】
その上、例えば、金網２０のように使用によって汚れたり破損しやすい部品は、その部品のみを新しい物に取り替えることが容易にできる。
【００３７】
（その他の変形例）
上記した実施形態では、左右方向に長い長方形状の金網２０を用いたバーベキューコンロ１を例に説明したが、金網２０の形状は正方形状、円形状など、他の形状のものでもよく、上記した実施形態に限定されるものではない。
【００３８】
また、吊下げ部材４０は、高さが異なる物に取り替えることで金網２０と燃焼箱体１０との距離を変更することができ、燃料の種類などに応じて変更してもよい。脚体３０も、高さが異なる物に取り替えることで金網２０の高さを変更することができ、使用目的などに応じて変更してもよい。バーベキューコンロ１を構成する各部材の大きさなどは、上記した実施形態に限定されるものではない。
【００３９】
さらに、上記した実施形態は一例を示しており、本考案の要旨を損なわない範囲での種々の変更は可能であり、本考案は上記した実施形態に限定されるものではない。
【符号の説明】
【００４０】
１  バーベキューコンロ
１０  燃焼箱体
１３  フランジ部
１４  係合部
１５  孔部
１６  長孔
２０  金網
２１  フレーム材
２２  線材
２３  網目
３０  脚体
３１  係止部
３２  掛け止め部
３３  支持部
４０  吊下げ部材
４１  係合爪
【図１】
0003218702.tif 000003
【図２】
0003218702.tif 000004
【図３】
0003218702.tif 000005
【図４】
0003218702.tif 000006
【図５】
0003218702.tif 000007